(57)【特許請求の範囲】
【請求項１】
上側を開放して吹出口が設けられた外壁部と該外壁部の一側縁を閉塞する第１閉塞部とを有するベースと、
前記外壁部内に配置されたファンと、
前記ベースの外壁部内に前記ファンにより空気を吸い込むための吸気口が設けられ、前記ベースの前記外壁部他側縁を閉塞して、前記第１閉塞部と前記外壁部と共に送気体通路を形成する第２閉塞部を有する閉塞部材と、
前記ベースの吹出口に重なり合うように設けられた吹出部を有するトップカバーと、
前記閉塞部材の第２閉塞部によって前記送気体通路から仕切られるように、前記閉塞部材の上側に設けられた基板配設部と
を備えた空気調和機において、
前記閉塞部材の基板配設部に、前記第２閉塞部から間隔をあけて形成した内壁と、
前記内壁と、前記第２閉塞部と、前記基板配設部の底面とで形成した樋状の防水部と、
前記内壁に設けられた前記防水部内と前記基板配設部の基板側とを連通する内壁孔と、
前記閉塞部材の第２閉塞部に設けられた前記送気通路の外側と前記防水部内とを連通する連通孔と
前記基板配置部の底面に設けられた前記防水部に向けて傾斜する傾斜部と、
を備えることを特徴とする空気調和機。
【請求項２】
前記閉塞部材の第２閉塞部と前記ベースの外壁部の端縁とは鉛直面上で当接することを特徴とする請求項１に記載の空気調和機。
【請求項３】
前記閉塞部材の第２閉塞部に、前記送気通路と前記防水部内とを連通する内側通気孔を設けたことを特徴とする請求項１又は請求項２に記載の空気調和機。
【請求項４】
前記防水部の底面は前記連通孔に向けて下降する傾斜面となるように形成されたことを特徴とする請求項３に記載の空気調和機。
【発明の詳細な説明】
【技術分野】
【０００１】
本発明は、空気清浄機、加湿器、除湿器などの空気調和機に関するものである。
【背景技術】
【０００２】
特許文献１は、上側および両側が開口する外壁部と該外壁部の一側縁を閉塞する第１閉塞部とを有するベースの内部にファンを収容し、前記外壁部の他側縁を、フィルタホルダの第２閉塞部で閉塞することにより送気通路を形成する空気清浄機を開示する。この送気通路は、外壁部の上側の開口部が、空気清浄機のトップパネルの吹出口と連通するように形成されている。
【０００３】
この空気清浄機では、フィルタホルダの上部に基板配設部が設けられ、この基板配設部と送気通路は、トップパネルの内面から下方に延設した仕切りにより仕切られている。一般に、空気清浄機は、その使用態様から吹出口が製品上側に設けられ、表示部も製品上方または前方等に位置することから、吹出口から浸入した水が表示部の内側の基板配設部へ浸入しやすい。そのため、基板配設部と送気通路の間には仕切りが設けられている。
【０００４】
しかしながら、基板配設部は、トップパネルとフィルタホルダなどの各部品の製造誤差、組み付け誤差によりトップパネルの仕切りとフィルタホルダとの間に僅かながら隙間を生じる可能性がある。この場合、使用者が上方で誤って水をこぼすと、吹出口から送気通路内に浸入し、トップパネルの仕切りとフィルタホルダの隙間から基板配設部に水が浸入し、基板に付着して空気清浄機が故障する可能性がある。
【先行技術文献】
【特許文献】
【０００５】
【特許文献１】特開２００７−３０７５０５号公報
【発明の概要】
【発明が解決しようとする課題】
【０００６】
本発明は、基板配設部に誤って水が浸入しても基板に水が付着するのを防止できる空気調和機を提供することを課題とする。
【課題を解決するための手段】
【０００７】
前記課題を解決するための手段として、本発明の空気調和機は、上側を開放して吹出口が設けられた外壁部と該外壁部の一側縁を閉塞する第１閉塞部とを有するベースと、前記外壁部内に配置されたファンと、前記ベースの外壁部内に前記ファンにより空気を吸い込むための吸気口が設けられ、前記ベースの前記外壁部他側縁を閉塞して、前記第１閉塞部と前記外壁部と共に送気通路を形成する第２閉塞部を有する閉塞部材と、前記ベースの吹出口に重なり合うように設けられた吹出部を有するトップカバーと、前記閉塞部材の第２閉塞部によって前記送気体通路から仕切られるように、前記閉塞部材の上側に設けられた基板配設部とを備えた空気調和機において、前記閉塞部材の基板配設部に、前記第２閉塞部から間隔をあけて形成した内壁と、前記内壁と、前記第２閉塞部と、前記基板配設部の底面とで形成した樋状の防水部と、
前記内壁に設けられた前記防水部内と前記基板配設部の基板側とを連通する内壁孔と、前記閉塞部材の第２閉塞部に設けられた前記送気通路の外側と前記防水部内とを連通する連通孔と前記基板配置部の底面に設けられた前記防水部に向けて傾斜する傾斜部と、を備える。
【０００８】
この構成によれば、閉塞部材の基板配設部に第２閉塞部から間隔をあけて内壁を形成して防水部を設けているので、吹出口から送気通路を通って基板配設部に誤って水が浸入しても、基板側への浸入は防水部によって阻止される。したがって、基板配設部の基板に水が付着するのを防止できる。
この構成によれば、閉塞部材内の防水部に浸入した水を連通孔を通して排出できる。また、連通孔を送気通路の外側と連通するように設けることにより空気の漏れを防止できる。
この構成によれば、水が、基板配設部の周囲から基板側へ浸入しても、内壁孔から防水部側へ排出できる。また、送気通路から内側通気孔、内壁孔を通って基板側へ送られる空気の流れにより、防水部内および基板配設部内の湿気を含む水分を効果的に除去できる。したがって、基板配設部内のプリント基板を乾燥させることができる。
【０００９】
前記閉塞部材の第２閉塞部と前記ベースの外壁部の端縁とは鉛直面上で当接することが好ましい。この構成によれば、製造誤差、組み付け誤差にかかわらず閉塞部材の第２閉塞部とベースの外壁部との間に隙間を生じることなく送気通路を形成できるため、送気通路に空気の漏れが発生せず効率よく空気を清浄できる。
【００１１】
前記閉塞部材の第２閉塞部に、前記送気通路と前記防水部内とを連通する内側通気孔を設けることが好ましい。この構成によれば、送気通路の空気を、内側通気孔から防水部内に取り込むことができる。また、防水部内の湿気を含む水分を効果的に除去できる。
【００１２】
前記防水部の底面は前記連通孔に向けて下降する傾斜面となるように形成されることが好ましい。この構成によれば、防水部内に浸入した水を連通孔から容易に排出できる。
【発明の効果】
【００１４】
本発明によれば、閉塞部材の基板配設部に第２閉塞部から間隔をあけて内壁を形成して防水部を設けているので、吹出口から送気通路を通って基板配設部に誤って水が浸入しても、基板側への浸入は防水部によって阻止される。したがって、基板配設部の基板に水が付着するのを防止できる。
【図面の簡単な説明】
【００１５】
【図１】本発明の第１実施形態の空気調和機の一例である空気清浄機の斜視図。
【図２】空気清浄機の正面中央における縦断面図。
【図３】空気清浄機の分解斜視図。
【図４】ベースとフィルタホルダと基板カバーを示す図。
【図５】フィルタホルダの前方斜視図。
【図６】フィルタホルダの上方斜視図。
【図７】図７（ａ）および図７（ｂ）はフィルタホルダの連通孔付近の拡大図。
【図８】フィルタホルダの連通孔付近の縦断面図。
【図９】フィルタホルダの別の連通孔付近の縦断面図。
【図１０】空気清浄機への水の浸入経路を示す図。
【図１１】本発明の第２実施形態における空気清浄機のフィルタホルダを示す図。
【図１２】内側通気孔付近の縦断面図。
【図１３】図１３（ａ）ないし図１３（ｃ）は２つの連通孔とそれらの間に形成された底面を示す図。
【発明を実施するための形態】
【００１６】
以下、本発明に係る実施形態を添付図面に従って説明する。
【００１７】
図１は、本発明に係る空気調和機の一例である空気清浄機１０の斜視図である。この空気清浄機１０は、図２および図３に示すように、ベース１１、ファン１２、モータ１３、フィルタホルダ（閉塞部材）１４、基板カバー１５、後ろケース（トップカバー）１６、フィルタ１７、および、フロントパネル１８を備えている。
【００１８】
（ベース１１）
図４は、ベース１１とフィルタホルダ１４と基板カバー１５を示す。ベース１１は、外壁部２１、および、第１閉塞部２２を備えている。
【００１９】
外壁部２１は、インボリュート部２３の上側開口部分の一端に、略水平部２４を介して開口側部２５が形成され、他端に開口側部２６が形成されている。図１，図２，図４に示すように、開口側部２５，２６は、吹出口２７の一部を形成する。外壁部２１の両端面は、それぞれ、鉛直面上に位置している。
【００２０】
第１閉塞部２２は、外壁部２１の一側縁を閉塞するものである。第１閉塞部２２には、外壁部２１のインボリュート部２３の内側の位置に、モータ１３の回転軸２８と同心となるようにモータ取り付け部２９が設けられている。モータ取り付け部２９は、前方に向かって略円錐台状に突出しており、中央の円形平坦面の中心には貫通孔３０が形成されている。第１閉塞部２２の前面には、外壁部２１の外側に位置するように、フィルタホルダ１４をネジ止めするためのフロント用雌ネジ部３１が形成されている。
【００２１】
（ファン１２）
ファン１２は、複数の縦長フィンを円筒状に配設してなるシロッコファンである。ファン１２は、ベース１１の外壁部２１の内側で開口側部２５側に偏って取り付けられている。
【００２２】
（モータ１３）
モータ１３は、図３に示すように、ベース１１の後側から回転軸２８を貫通孔３０に挿入して、ベース１１に対して位置決めされている。モータ１３の回転軸２８には、ベース１１の外壁部２１の内側に位置するようにファン１２が固定されている。
【００２３】
（フィルタホルダ１４）
フィルタホルダ１４は、図４に示すように、ベース１１の外壁部２１の他側縁を鉛直面上で閉塞する第２閉塞部３５を備えている。第２閉塞部３５は、開口側部２５，２６の外側まで延びている。第２閉塞部３５は、外壁部２１の一部を支持し、凹部８１の周囲を取り囲むように形成された支持部３７を備えている。第２閉塞部３５は、ベース１１の外壁部２１および第１閉塞部２２により送気通路３８を構成している。そして、送気通路３８には、第２閉塞部３５、ベース１１の外壁部２１の開口側部２５，２６、および、第１閉塞部２２により、上側に吹出口２７が形成されている。図５に示すように、フィルタホルダ１４の上側には、第２閉塞部３５を一壁とする基板配設部３６が設けられている。すなわち、基板配設部３６は、第２閉塞部３５によって送気通路３８と区画されている。
【００２４】
基板配設部３６は、図６に示すように、第２閉塞部３５、前壁３９、および、側壁４０，４０、により下端が底面４２で略矩形状に囲まれ、上面開口の容器状に形成されている。底面４２には、図８に示すように、略垂直面からなる段差部８２によって段差上部４２ａと平坦面である段差下部４２ｂとが形成されている。
【００２５】
基板配設部３６の底面４２の段差下部４２ｂには、第２閉塞部３５から前壁３９側に間隔をあけて内壁４１が設けられている。内壁４１は、前壁３９と同じ長さである。図２，図８、および、図９に示すように、内壁４１と、第２閉塞部３５と、基板配設部３６の底面４２とで樋状の防水部４３が形成されている。図６に示すように、防水部４３には、内壁４１と第２閉塞部３５の端部とに連続する側面部４４が形成されている。側面部４４の内壁４１側上部は、基板カバー１５と干渉しないように開口している。
【００２６】
第２閉塞部３５には、図７（ａ），（ｂ）に示すように、送気通路３８の外側と防水部４３内とを連通する連通孔４６が設けられている。連通孔４６は基板配設部３６の底面４２と近接している。第２閉塞部３５の上端の両側には、リード線挿通用切り欠き部４７が設けられている。
【００２７】
内壁４１には、図６および図７（ａ）に示すように、第２閉塞部３５の連通孔４６と対向する位置に、防水部４３内と後述の基板配設部３６のプリント基板（基板）７０側とを連通する内壁孔４８が設けられている。この内壁孔４８の下縁は、段差下部４２ｂの面上にある。内壁４１と段差部８２と、これらの間の段差下部４２ｂ、および、側壁４０，４０とにより溝部４９を構成している。図２に示すように、溝部４９の段差部８２の上端に連続するように、前壁３９側に上昇する傾斜部５０が形成されている。この傾斜部５０と前壁３９の間には、平坦部５１が形成されている。
【００２８】
図６に示すように、基板配設部３６の底面４２には、前壁３９、側壁４０，４０、および、内壁４１それぞれの中間付近に基板カバー１５を取り付けるための基板カバー用雌ネジ部５２が設けられている。
【００２９】
前壁３９、側壁４０，４０、および、内壁４１の外側の縁には、図５、図８、および、図９に示すように、後述する基板カバー１５の基板カバー側係合部６７と係合する被係合部５３が形成されている。
【００３０】
フィルタホルダ１４の基板配設部３６の下側には、図５に示すように、枠部５６が形成されている。枠部５６は、略矩形状であり、一開口面が第２閉塞部３５により閉塞されている。左右両側および下側の枠部５６には、吸気部５７が設けられている。第２閉塞部３５には、放射状に広がって配置される複数の通気孔（吸気口）５８が形成されている。通気孔５８の形成範囲は外壁部２１内である。枠部５６内側の第２閉塞部３５には、段部５９が形成されている。そして、通気孔５８を形成する放射状に設けられたリブ６０の一部と共にフィルタ１７と第２閉塞部３５（通気孔５８）との間に所定の隙間を確保できるようになっている。これにより、フィルタ１７全面を介して吸い込んだ空気をスムーズに通気孔５８へと導くことが可能となっている。フィルタホルダ１４には、図４に示すように、ベース１１のフロント用雌ネジ部３１と対応する位置に、貫通孔６１が形成されている。図５に示すように、枠部５６の下方部分には、Ｌ字状に突出したフロントパネル下部位置決め部６２が設けられている。
【００３１】
（基板カバー１５）
基板カバー１５は、フィルタホルダ１４の基板配設部３６に取り付けられる。図３に示すように、基板カバー１５の上面には、表示部６５が設けられている。表示部６５には、複数の貫通孔が形成され、表面は透光性を有する保護カバー６６で覆われている。図８および図９に示すように、基板カバー１５の上面の裏側には、下方に突出しフィルタホルダ１４の被係合部５３と係合する基板カバー側係合部６７が設けられている。基板カバー１５の基板カバー側係合部６７は、フィルタホルダ１４の前壁３９、側壁４０，４０、および、内壁４１の被係合部５３に対して、全周にわたってオーバーラップしている。この構造により、内部に閉塞空間を形成し、該閉塞空間外部から内側への水の直接的な浸入が防止される。基板カバー１５には、図２に示すように、前記閉塞空間の基板カバー側係合部６７より高い所に位置するようにプリント基板７０が取り付けられている。プリント基板７０には各種電子部品が実装され、表示部６５に形成した貫通孔に、表示部６５であるＬＥＤ、スイッチ等（図示せず）が位置決めされる。基板カバー１５上面の前側には、図２および図３に示すように、フロントパネル１８の内側の平坦面と湾曲面とによって基板カバー１５に対してフロントパネル１８を位置決めするフロントパネル上部位置決め部７１が設けられている。
【００３２】
（後ろケース１６）
後ろケース１６は、前側が開口した略立方体状である。後ろケース１６の上面には、図１ないし図３に示すように、吹出部７５が設けられている。後ろケース１６の下側には、下方に突出する脚部７６が設けられている。図２に示すように、吹出部７５は、送気通路３８の吹出口２７とほぼ一致する範囲に位置している。後ろケース１６の一部は、トップカバーを構成している。
【００３３】
（フィルタ１７）
フィルタ１７は、例えば、ＨＥＰＡフィルタからなり、フィルタホルダ１４の枠部５６内を覆うようにして配置される。
【００３４】
（フロントパネル１８）
フロントパネル１８は、図３に示すように、略正方形状の板状体の端部を全周にわたってフィルタホルダ１４側へと湾曲させたものである。フロントパネル１８は、湾曲面の内側が、基板カバー１５のフロントパネル上部位置決め部７１と、フィルタホルダ１４のフロントパネル下部位置決め部６２によって位置決めされ、空気清浄機１０に取り付けられている。
【００３５】
空気清浄機１０は、電源（図示せず）がオンになると、モータ１３とともにファン１２が回転し、フィルタホルダ１４の吸気部５７を通じて空気を吸い込み、その空気は、フィルタ１７、フィルタホルダ１４の通気孔５８を通過して送気通路３８に流入する。空気は、フィルタ１７を通過する際に粉塵等が捕捉され清浄化される。送気通路３８では、ファン１２の内部に空気が流入し、縦長フィンの間を抜けて軸から放射状に排出される。送気通路３８では、インボリュート部２３によって、吹出口２７側に向かうに従って内部が広くなっているので、ファン１２から排出された空気は、吹出口２７へと送られる。そして、空気清浄機１０の吹出部７５から外部へ排出される。
【００３６】
図１０に示すように、使用者が空気清浄機１０の上方で誤って水をこぼして吹出口２７から送気通路３８内に水が浸入し、その水が後ろケース１６とフィルタホルダ１４の間の隙間から基板配設部３６に浸入した場合、第２閉塞部３５から間隔をあけて形成された内壁４１により内壁４１を越えての水の浸入は阻止される。したがって、基板配設部３６の基板７０に水が付着するのを防止できる。フィルタホルダ１４の第２閉塞部３５に、送気通路３８の外側と防水部４３内とを連通する連通孔４６を設けているので、フィルタホルダ１４内の防水部４３に浸入した水を連通孔４６を通して排出できる。排出した水は、空気清浄機１０内部から外部へ移動する空気に含まれて排出される。
【００３７】
また、前壁３９、側壁４０から基板配設部３６に水が浸入した場合であっても、平坦部５１から傾斜部５０を通って溝部４９へ移動し、そして、内壁孔４８を通って防水部４３へ移動し、連通孔４６から排出できる。内壁４１に防水部４３内と基板配設部３６の基板７０側とを連通する内壁孔４８を設けているので、水が、基板配設部３６の周囲から基板７０側へ浸入しても、内壁孔４８から防水部４３側へ排出できる。
【００３８】
フィルタホルダ１４の第２閉塞部３５とベース１１の外壁部２１の端縁とは鉛直面上で当接しているので、製造誤差や組み付け誤差等にかかわらずフィルタホルダ１４の第２閉塞部３５とベース１１の外壁部２１との間に隙間を生じることなく送気通路３８を形成できるため、送気通路３８に空気の漏れが発生せず、効率よく空気を清浄できる。また、連通孔４６を送気通路３８の外側に設けることにより空気の漏れを防止できる。
【００３９】
（第２実施形態）
図１１は、第２実施形態における空気清浄機１０のフィルタホルダ１４を示す。本実施形態において、第１実施形態と同じ構成要素には同じ符号を付して説明を省略する。
【００４０】
図１１および図１２に示すように、フィルタホルダ１４の第２閉塞部３５には、開口側部２５側に連通孔４６は設けられていない。送気通路３８と防水部４３内と連通する内側通気孔８０が設けられている。内側通気孔８０は、連通孔４６より上側に位置するように、第２閉塞部３５に、水平部２４の上側に設けられている。
【００４１】
送気通路３８の連通孔４６は、内側通気孔８０より低い所に位置しているので、防水部４３内に浸入した水を、送気通路３８へ浸入させることなく連通孔４６を通してより効率よく排出できる。また、送気通路３８の空気を、内側通気孔８０から取り込んで、防水部４３内を通過させ、連通孔４６から排出することができる。また、防水部４３内の湿気を含む水分を効果的に除去できる。さらに、内側通気孔８０から防水部４３内に取り込んだ空気を、内壁孔４８を通してプリント基板７０側へ送ることができる。この空気の流れにより、防水部４３内および基板配設部３６内の湿気を含む水分を効果的に除去できる。したがって、プリント基板７０を乾燥させることができる。内側通気孔８０をベース１１の水平部２４の上側部分に設けているので、ファン１２から排出された空気が吹出口２７の手前の送気通路３８から漏れて空気清浄機１０の吹出部７５からの風量が極端に減少するのを回避できる。
【００４２】
本発明は実施形態のものに限定されず、種々の変形が可能である。例えば、第１実施形態においては、図１３（ａ）に示すように、連通孔４６，４６を、第２閉塞部３５に略同一高さに設け、連通孔４６，４６間の底面４２が平坦となるように形成したが、図１３（ｂ）に示すように、防水部４３の底面４２は、連通孔４６，４６間の中間部分が最も高く、かつ、連通孔４６，４６側で最も低くなるような傾斜面を形成してもよい。また、図１３（ｃ）に示すように、一方の連通孔４６側から他方の連通孔４６側へ傾斜するように傾斜面を形成してもよい。防水部４３の底面４２は連通孔４６に向けて下降する傾斜面となるように形成されているので、防水部４３内に浸入した水を連通孔４６から容易に排出できる。一方の連通孔４６に目詰まりが生じて使用できなくなった場合であっても、他方の連通孔４６は、前記一方の連通孔４６と同時に目詰まりを生じることがないので、他方の連通孔４６から水を排出できる。溝部４９の底面は平坦面であるが、図１３（ｃ）に示す傾斜面と同様に、内壁孔４８側が最も低くなるような傾斜面を形成してもよい。なお、防水部４３の底面４２、溝部４９の底面４２の傾斜面の最高点は、傾斜部５０の下端より低くすることが望ましい。
【００４３】
本発明は空気清浄機に対してだけでなく、加湿器、除湿器などの空気調和機に対しても適用できる。防水部４３は、基板配設部３６と同様に、水の浸入を防止する必要がある充電部等に設けてもよい。フィルタホルダ１４の第２閉塞部３５は、平面でなくてもよく、湾曲面であってもよい。複数の内壁孔４８を内壁４１に設けてもよい。連通孔４６は、内側通気孔８０より低い所に位置していなくてもよい。内側通気孔８０は送気通路３８内にあれば、空気の流れで水を排出可能である。連通孔４６を設けることなく内側通気孔８０を設けてもよい。送気通路３８の空気を、内側通気孔８０から防水部４３内に取り込むことができる。また、防水部４３内の湿気を含む水分を効果的に除去できる。
【符号の説明】
【００４４】
１０  空気清浄機（空気調和機）
１１  ベース
１２  ファン
１４  フィルタホルダ（閉塞部材）
１６  後ろケース（トップカバー）
２１  外壁部
２２  第１閉塞部
２７  吹出口
３５  第２閉塞部
３６  基板配設部
３８  送気通路
４１  内壁
４２  底面
４３  防水部
４６  連通孔
４８  内壁孔
５８  通気孔（吸気口）
７０  プリント基板（基板）
７５  吹出部
８０  内側通気孔
【図１】
0005426471.tif 000002
【図２】
0005426471.tif 000003
【図３】
0005426471.tif 000004
【図４】
0005426471.tif 000005
【図５】
0005426471.tif 000006
【図６】
0005426471.tif 000007
【図７】
0005426471.tif 000008
【図８】
0005426471.tif 000009
【図９】
0005426471.tif 000010
【図１０】
0005426471.tif 000011
【図１１】
0005426471.tif 000012
【図１２】
0005426471.tif 000013
【図１３】
0005426471.tif 000014